(57)【要約】【課題】商用電源から電力を供給し調理物あるいは鍋の温度を検知する温度検知手段を有する炊飯器において、温度検知手段への電力供給をカットする省電力待機状態を持ち、使用感を損ねることなく、使用開始時の温度に応じた的確な炊飯を行えるようにする。【解決手段】調理物を入れる鍋１を加熱手段２により加熱し、調理物あるいは鍋１の温度を温度検知手段３により検知し、温度検知手段３を動作させるための電力供給を行わないようにする省電力待機状態と電力供給を行う通常待機状態を切替手段５により切り替え、制御手段６により温度検知手段３からの入力により加熱手段２を制御するとともに切替手段５を制御する。制御手段６は、温度検知手段３による検知温度が所定の温度以下になるまで切替手段５を制御して省電力待機状態にならないようにする。【選択図】　図１
2004065288.tif 000002
【特許請求の範囲】
【請求項１】
調理物を入れる鍋と、前記鍋を加熱する加熱手段と、前記調理物あるいは鍋の温度を検知する温度検知手段と、前記温度検知手段を動作させるための電力供給を行わないようにする省電力待機状態と電力供給を行う通常待機状態を切り替える切替手段と、前記温度検知手段からの入力により前記加熱手段を制御するとともに前記切替手段を制御する制御手段とを備え、前記制御手段は、前記温度検知手段による検知温度が所定の温度以下になるまで前記切替手段を制御して省電力待機状態にならないようにした炊飯器。
【請求項２】
調理物を入れる鍋と、前記鍋を加熱する加熱手段と、前記調理物あるいは鍋の温度を検知する温度検知手段と、前記温度検知手段を動作させるための電力供給を行わないようにする省電力待機状態と電力供給を行う通常待機状態を切り替える切替手段と、前記温度検知手段からの入力により前記加熱手段を制御するとともに前記切替手段を制御する制御手段とを備え、前記制御手段は、前記温度検知手段による検知温度が所定の温度以下になるまで、前記温度検知手段による検知温度に応じて、前記切替手段を制御して断続的に温度検知手段への電力供給を行うようにした炊飯器。
【請求項３】
断続的に温度検知手段への電力供給を行う間隔を、前記温度検知手段によって前回検知した温度と今回検知した温度との差によって、次回の前記温度検知手段への電力供給を行うまでの時間を変化するようにした請求項２記載の炊飯器。
【発明の詳細な説明】
【０００１】
【発明の属する技術分野】
本発明は、商用電源から電力を供給し調理物あるいは鍋の温度を検知する温度検知手段を有する炊飯器に関するものである。
【０００２】
【従来の技術】
従来、この種の炊飯器は例えば図５に示すように構成していた。以下、その構成に付いて説明する。
【０００３】
図に示すように、鍋１は米と水を入れており、この鍋１を加熱手段２により加熱するとともに、鍋１の温度を温度検知手段３により検知するよう構成している。配線４は、商用電源からコンセント（図示せず）を介して加熱手段２と温度検知手段３に電力を供給するものであり、配線４の途中に商用電源からの電力の供給を可能または停止にする切替手段５を設けている。
【０００４】
制御手段６は温度検出手段３を動作させて、温度検出手段３からの入力と時間により加熱手段２を制御して炊飯や保温を行い、待機時には切替手段５を制御することで加熱手段２と温度検出手段３への電力供給を行わないようにして不要な電力消費を避けている。
【０００５】
【発明が解決しようとする課題】
しかしながら、このような従来の炊飯器では、切替手段５により商用電源からの通電を停止した場合に温度検知手段３も停止してしまい、炊飯を開始するために、商用電源からの通電を開始したときに温度検出手段３を動作させ、その入力に応じて炊飯を行った場合、時間的なずれを生じてしまい、使用感を損なうことがあった。
【０００６】
また、商用電源からの通電を停止する前の温度検出手段３からの入力に応じて炊飯を開始した場合は、炊飯直後に商用電源からの通電を停止した場合や室温などに大きな変化があったときなど、実際の温度と異なった温度に応じて炊飯を開始してしまい、的確な炊飯を行うことができなくなるという問題を有していた。
【０００７】
本発明は上記課題を解決するのもので、温度検知手段への電力供給をカットする省電力待機状態を持つ炊飯器において、使用感を損ねることなく、使用開始時の温度に応じた的確な炊飯を行えるようにすることを目的としている。
【０００８】
【課題を解決するための手段】
本発明は上記目的を達成するために、調理物を入れる鍋を加熱手段により加熱し、調理物あるいは鍋の温度を温度検知手段により検知し、温度検知手段を動作させるための電力供給を行わないようにする省電力待機状態と電力供給を行う通常待機状態を切替手段により切り替え、制御手段により温度検知手段からの入力により加熱手段を制御するとともに切替手段を制御するよう構成し、制御手段は、温度検知手段による検知温度が所定の温度以下になるまで切替手段を制御して省電力待機状態にならないようにしたものである。
【０００９】
これにより、温度検知手段への電力供給をカットする省電力待機状態を持つ炊飯器において、使用感を損ねることなく、使用開始時の温度に応じた的確な炊飯を行えるようにすることができる。
【００１０】
【発明の実施の形態】
本発明の請求項１に記載の発明は、調理物を入れる鍋と、前記鍋を加熱する加熱手段と、前記調理物あるいは鍋の温度を検知する温度検知手段と、前記温度検知手段を動作させるための電力供給を行わないようにする省電力待機状態と電力供給を行う通常待機状態を切り替える切替手段と、前記温度検知手段からの入力により前記加熱手段を制御するとともに前記切替手段を制御する制御手段とを備え、前記制御手段は、前記温度検知手段による検知温度が所定の温度以下になるまで前記切替手段を制御して省電力待機状態にならないようにしたものであり、温度検知手段への電力供給をカットする省電力待機状態を持つ炊飯器において、つぎの炊飯開始時に実際と異なった温度と判断して炊飯を行うことのないようにできて、使用感を損ねることなく、使用開始時の温度に応じた的確な炊飯を行えるようにすることができる。
【００１１】
請求項２に記載の発明は、調理物を入れる鍋と、前記鍋を加熱する加熱手段と、前記調理物あるいは鍋の温度を検知する温度検知手段と、前記温度検知手段を動作させるための電力供給を行わないようにする省電力待機状態と電力供給を行う通常待機状態を切り替える切替手段と、前記温度検知手段からの入力により前記加熱手段を制御するとともに前記切替手段を制御する制御手段とを備え、前記制御手段は、前記温度検知手段による検知温度が所定の温度以下になるまで、前記温度検知手段による検知温度に応じて、前記切替手段を制御して断続的に温度検知手段への電力供給を行うようにしたものであり、炊飯直後の温度の高い状態で温度検知手段への電力供給を行わないようにしないため、炊飯開始時に実際と異なった温度と判断して炊飯を行うことのないようにできるとともに、温度検知手段によって検知した温度に応じて断続的に温度検知手段への電力供給を行うことで、より省電力になるようにできる。
【００１２】
請求項３に記載の発明は、上記請求項２に記載の発明において、断続的に温度検知手段への電力供給を行う間隔を、前記温度検知手段によって前回検知した温度と今回検知した温度との差によって、次回の前記温度検知手段への電力供給を行うまでの時間を変化するようにしたものであり、室温の変動や水温の変動等があった場合にも適切に温度検知手段への電力供給を行うことができ、炊飯開始時に実際と異なった温度で炊飯を行うことのないようにできるとともに、適切な間隔で断続的に温度検知手段への電力供給を行うことで、より省電力になるようにできる。
【００１３】
【実施例】
以下、本発明の実施例について、図面を参照しながら説明する。
【００１４】
なお、以下の実施例では、温度検知手段と加熱手段への電力供給の切り替えを１つの切替手段で行っているが、別々のものにしてもよく、その場合、温度検知手段による温度によって、温度検知手段への電力供給のみを切り替え、加熱手段への電力供給は、温度検知手段による温度によって切り替えなくてもよい。
【００１５】
また、以下の実施例では、通常待機状態から省電力待機状態への切り替え条件として、１分以上の放置としているが、設定手段によって切り替えたり、蓋の開閉や鍋の有無を検知して、その状況によって切り替えるようにしてもよい。
【００１６】
また、以下の実施例では、省電力待機状態から通常待機状態への復帰条件として、キーが押されたかどうかとしているが、蓋の開閉や鍋の有無を検知して、その状況によって切り替えるようにしてもよい。
【００１７】
また、以下の実施例では、１つの温度検知手段の場合について説明しているが、複数の温度検知手段について行ってもよく、その場合、それぞの温度検知手段によって所定の温度や復帰までの時間などを異なったものにしてもよく、同じにしてもよいし、それぞれの温度検知手段によって各実施例を組み合わせたものにしてもよい。
【００１８】
また、以下の実施例では、温度検知手段への電源供給を完全に行わないようにしているが、例えば断線など異常状態を検知するために必要な最低限の電力のみを供給するようにしてもよい。
【００１９】
（実施例１）
図１に示すように、鍋１は米と水を入れており、この鍋１をヒータにより構成した加熱手段２により加熱するよう構成している。温度検知手段３は鍋１の温度を検知するもので、サーミスタ、抵抗、電圧比較器などで構成している。配線４は商用電源からコンセント（図示せず）を介して炊飯器に電力を供給するもので、加熱手段２と温度検知手段３に電力を供給する配線４の途中に、商用電源からの電力の供給を可能または停止する切替手段５を設けている。この切替手段５はリレーにより構成し、温度検知手段３を動作させるための電力供給を行わないようにする省電力待機状態と電力供給を行う通常待機状態を切り替える。設定手段、状態検知手段７は、キーや鍋有無検知手段などで構成している。
【００２０】
制御手段８は、マイクロコンピュータと周辺回路とで構成し、温度検知手段３の出力と、設定手段、状態検知手段７の出力を入力し、温度検知手段３からの入力により加熱手段２を制御するとともに、切替手段５を制御する制御するもので、温度検知手段３による検知温度が所定の温度（例えば、７０℃）以下になるまで切替手段５を制御して省電力待機状態にならないように構成している。
【００２１】
上記構成において図２を参照しながら動作を説明する。ステップ１で炊飯や保温のための動作を行っていない待機中であるかどうかを判定し、待機中でなければステップ２へ進み、待機中であればステップ３へ進む。ステップ２では、待機以外の現在の状況に応じた処理（例えば、炊飯シーケンスにしたがった制御、停電検知など）を行う。
【００２２】
ステップ３では、温度検知手段３以外の省電力待機状態になる条件を満たしているかどうか、本実施例の場合、待機状態になって１分以上放置されているかどうかを判定し、条件を満たしていない、すなわち本実施例では、１分以上放置されていない場合はステップ４へ進み、１分以上放置されている場合はステップ５へ進む。ステップ４では、通常待機の処理（設定手段の処理、温度検知手段３の制御など）を行う。
【００２３】
ステップ５では、温度検知手段３による温度が所定の温度である７０℃以上かどうかを判断し、７０℃以上であればステップ４へ進み、７０℃未満であればステップ６へ進む。ステップ６では、切替手段５を制御して温度検知手段３と加熱手段２への電源供給を行わないようにし、ステップ７へ進む。ステップ７では、省電力待機の処理（温度検知手段３の制御を除く、停電検知処理など）を行い、ステップ８へ進む。
【００２４】
ステップ８では、省電力待機状態の終了条件を満たしているか、本実施例では、何らかの設定手段が操作されたかどうかを判断し、操作されている場合は、ステップ９へ進み、操作されていない場合はステップ７へ戻る。ステップ９では、温度検知手段３と加熱手段２への電源供給を行い、ステップ４へ進む。
【００２５】
このように本実施例によれば、所定の温度以下（本実施例の場合７０℃）になるまで、温度検知手段３への電源供給を行うようにしているため、炊飯直後のような高温の状態で待機状態になった場合にも、所定の温度を次回の炊飯開始に影響のない温度に設定しておくことで、実際の炊飯や使用感に影響を与えることなく待機時の省電力を実現することができる。
【００２６】
なお、本実施例の場合、所定の温度として７０℃としているが、この温度は炊飯や保温を開始するにあたって影響がない、あるいは極めて少ない温度であればよいのであって、別途設けた室温センサなどによって変更をしてもよいし、別途設けた設定手段によって変更してもよい。
【００２７】
また、本実施例では、温度検知手段３として、サーミスタと抵抗と電圧比較器で構成しているが、赤外線などによる温度検知手段でもよく、また、電圧比較器もＡＤ変換器でもよく、また、これらは制御手段であるマイクロコンピュータに内蔵されていてもよい。
【００２８】
（実施例２）
図１に示す制御手段６は、温度検知手段３による検知温度が所定の温度（例えば、７０℃）以下になるまで、温度検知手段３による検知温度に応じて、切替手段５を制御して断続的に温度検知手段３への電力供給を行うように構成している。他の構成は上記実施例１と同じである。
【００２９】
上記構成において図３を参照しながら動作を説明する。ステップ１で炊飯や保温のための動作を行っていない待機中であるかどうかを判定し、待機中でなければステップ２へ進み、待機中であればステップ３へ進む。ステップ２では、待機以外の現在の状況に応じた処理（例えば、炊飯シーケンスにしたがった制御、停電検知など）を行う。
【００３０】
ステップ３では、温度検知手段１０以外の省電力待機状態になる条件を満たしているかどうか、本実施例の場合、待機状態になって１分以上放置されているかどうかを判定し、条件を満たしていない、すなわち本実施例では、１分以上放置されていない場合はステップ４へ進み、１分以上放置されている場合はステップ２１へ進む。ステップ４では、通常待機の処理（設定手段の処理、温度検知手段３の制御など）を行う。
【００３１】
ステップ２１では、温度検知手段３による温度と所定の温度である７０℃との差が＋１０度以上であれば３０分、＋５度以上であれば５分、所定の温度未満の場合は無限大、というように温度検知手段３による温度と所定の温度である７０℃との差に応じて復帰までの時間Ｔ１を設定し、ステップ６へ進む。
【００３２】
ステップ６では、温度検知手段３と加熱手段２への電源供給を行わないようにし、ステップ７へ進む。ステップ７では、省電力待機の処理（温度検知手段３の制御を除く、停電検知処理など）を行い、ステップ２２へ進む。
【００３３】
ステップ２２では、省電力待機にしてからステップ２１で設定した時間Ｔ１が経過したかどうかを判断し、経過している場合はステップ９へ進み、経過していない場合はステップ８へ進む。ステップ８では、省電力待機状態の終了条件を満たしているか、本実施例では、何らかの設定手段が操作されたかどうかを判断し、操作されている場合は、ステップ９へ進み、操作されていない場合はステップ７へ戻る。ステップ９では、温度検知手段３と加熱手段２への電源供給を行い、ステップ４へ進む。
【００３４】
このように本実施例によれば、所定の温度（７０℃）以下になるまで、その温度差に応じて、断続的に温度検知手段３への電源供給を行うようにしているため、炊飯直後のような高温の状態で待機状態になった場合にも、所定の温度を次回の炊飯開始に影響のない温度に設定しておくことで、実際の炊飯や使用感に影響を与えることなく、また、温度が高い状態で常に温度検知手段３への電源供給を行うことがないため、より待機時の省電力になるようにできる。
【００３５】
なお、本実施例では、所定の温度未満の場合は無限大という設定にして温度検知手段３への電源供給を行わないようにしているが、所定の温度未満の場合でも、一定時間ごとに温度検知手段３への電源供給を行うようにしてもよい。
【００３６】
また、本実施例では、所定の温度との差が大きい場合は、温度検知手段３への電源供給までの時間を長く、所定の温度との差が小さい場合は、温度検知手段３への電源供給までの時間を短くしているが、すべて同じ時間であってもよい。
【００３７】
（実施例３）
図１に示す制御手段６は、断続的に温度検知手段３への電力供給を行う間隔を、温度検知手段３によって前回検知した温度と今回検知した温度との差によって、次回の温度検知手段３への電力供給を行うまでの時間を変化するように構成している。他の構成は上記実施例１と同じである。
【００３８】
上記構成において図４を参照しながら動作を説明する。ステップ１で炊飯や保温のための動作を行っていない待機中であるかどうかを判定し、待機中でなければステップ２へ進み、待機中であればステップ３へ進む。ステップ２では、待機以外の現在の状況に応じた処理（例えば、炊飯シーケンスに従った制御、停電検知など）を行う。
【００３９】
ステップ３では、温度検知手段３以外の省電力待機状態になる条件を満たしているかどうか、本実施例の場合、待機状態になって１分以上放置されているかどうかを判定し、条件を満たしていない、すなわち本実施例では、１分以上放置されていない場合はステップ４へ進み、１分以上放置されている場合はステップ３１へ進む。ステップ４では、通常待機の処理（設定手段の処理、温度検知手段３の制御など）を行う。
【００４０】
ステップ３１では、今回の温度検知手段３による温度と前回の温度検知手段３による温度の差が１０度以上であれば５分、５度以上であれば１０分、５度未満であれば３０分というように、今回の温度検知手段３による温度と前回検知した温度検知手段３による温度の差によって、復帰までの時間Ｔ１を設定し、ステップ６へ進む。
【００４１】
ステップ６では、温度検知手段３と加熱手段２への電源供給を行わないようにし、ステップ７へ進む。ステップ７では、省電力待機の処理（温度検知手段３の制御を除く、停電検知処理など）を行い、ステップ２２へ進む。ステップ２２では、省電力待機にしてからステップ３１で設定した時間Ｔ１が経過したかどうかを判断し、経過している場合は、ステップ９へ進み、経過していない場合はステップ８へ進む。
【００４２】
ステップ８では、省電力待機状態の終了条件を満たしているか、本実施例では、何らかの設定手段が操作されたかどうかを判断し、操作されている場合は、ステップ９へ進み、操作されていない場合はステップ７へ戻る。ステップ９では、温度検知手段３と加熱手段２への電源供給を行い、ステップ４へ進む。
【００４３】
このように本実施例によれば、今回の温度検知手段３による温度と前回の温度検知手段３による温度の差に応じて、断続的に温度検知手段３への電源供給を行うようにしているため、炊飯直後のような高温の状態で待機状態になった場合にも、所定の温度を次回の炊飯開始に影響のない温度範囲になるように設定しておくことで、実際の炊飯や使用感に影響を与えることなく、また、温度が高い状態で常に温度検知手段３への電源供給を行うことがないため、より待機時の省電力になるようにできる。
【００４４】
なお、本実施例では、温度差が５度未満であれば所定の温度未満の場合でも、３０分後に温度検知手段３への電源供給を行うようにしているが、所定の温度未満の場合は、温度差に関係なく設定時間を無限大に設定して温度検知手段３への電源供給を行わないようにしてもよい。
【００４５】
【発明の効果】
以上のように本発明の請求項１に記載の発明によれば、温度検知手段による検知温度が所定の温度以下になるまで切替手段を制御して省電力待機状態にならないようにしたので、つぎの炊飯開始時に実際と異なった温度と判断して炊飯を行うことのないようにできて、使用感を損ねることなく、使用開始時の温度に応じた的確な炊飯を行えるようにすることができる。
【００４６】
また、請求項２に記載の発明によれば、温度検知手段による検知温度が所定の温度以下になるまで、温度検知手段による検知温度に応じて、切替手段を制御して断続的に温度検知手段への電力供給を行うようにしたので、炊飯開始時に実際と異なった温度と判断して炊飯を行うことのないようにするとともに、温度検知手段によって検知した温度に応じて断続的に温度検知手段への電力供給を行うことで、より省電力になるようにできる。
【００４７】
また、請求項３に記載の発明によれば、温度検知手段によって前回検知した温度と今回検知した温度との差によって、次回の温度検知手段への電力供給を行うまでの時間を変化するようにしたので、室温の変動や水温の変動等があった場合にも適切に温度検知手段への電力供給を行うことができ、炊飯開始時に実際と異なった温度で炊飯を行うことのないようにするとともに、適切な間隔で断続的に温度検知手段への電力供給を行うことで、より省電力になるようにできる。
【図面の簡単な説明】
【図１】本発明の第１の実施例の炊飯器のブロック図
【図２】同炊飯器のフローチャート
【図３】本発明の第２の実施例の炊飯器のフローチャート
【図４】本発明の第３の実施例の炊飯器のフローチャート
【図５】従来の炊飯器のブロック図
【符号の説明】
１　鍋
２　加熱手段
３　温度検知手段
５　切替手段
６　制御手段
【図１】
2004065288.tif 000003
【図２】
2004065288.tif 000004
【図３】
2004065288.tif 000005
【図４】
2004065288.tif 000006
【図５】
2004065288.tif 000007